(57)【特許請求の範囲】
【請求項１】
タイルカーペットが敷設される床面に貼着される細幅床材であって、
細幅床材が、細幅床材本体と薄板体とからなる細長体とされ、
前記細幅床材本体が、細幅に切断されたビニル床材からなり、
前記薄板体が、前記細幅床材本体の底面に固着され、前記細長体の一方の長手方向側方縁部のみに、断続的に突出された複数の突出片を有し、
前記細長体が、隣り合うタイルカーペットの間に配設され、
前記細幅床材本体の夫々の側面が、夫々の隣のタイルカーペットの側面に接し、
前記複数の突出片のみが、前記床面と一方の隣のタイルカーペットに挟持される、
ことを特徴とする細幅床材。
【請求項２】
前記突出片の突出寸法が、前記細幅床材本体の幅よりも小さい、
ことを特徴とする請求項１に記載の細幅床材。
【請求項３】
前記隣のタイルカーペットに接する前記長手方向側方縁部を３等分した範囲の夫々に、前記突出片が備えられている、
ことを特徴とする請求項１又は請求項２に記載の細幅床材。
【請求項４】
前記突出片が、外方に鋭角をなす三角形形状とされている、
ことを特徴とする請求項１乃至請求項３のいずれか一項に記載の細幅床材。
【請求項５】
前記ビニル床材が、ビニル床タイルからなり、厚さが３ｍｍ以上とされている、
ことを特徴とする請求項１乃至請求項４のいずれか一項に記載の細幅床材。
【請求項６】
前記ビニル床材が、複数のビニル床材を重ねてなる、
ことを特徴とする請求項１乃至請求項４のいずれか一項に記載の細幅床材。
【発明の詳細な説明】
【技術分野】
【０００１】
本発明は、タイルカーペットの側面に添着され、タイルカーペットが敷設される床面に貼り付けられる細幅床材に関する。より詳細には、タイルカーペットの厚さが薄い場合でも適用することができ、床を単調な外観とさせない「美観機能」と、レイアウト変更の際の「位置表示機能」とを付与させる細幅床材に関する。更に、新設工事又は取替工事のいずれにおいても床施工が容易で、剥がれにくく、管理が容易な細幅床材に関する。
【背景技術】
【０００２】
整列された繊維束が基材で一体化されたタイルカーペットは、柔らかい触感、吸音性を有すると共に部分的な張替に適しており、事務室や住宅の居室等の内装床材として使用されている。タイルカーペットには、ループ状の繊維束とされた毛足が向きを揃えて基材に植立させたままとしたループパイルのタイルカーペットと、毛足を揃えてカットしたカットパイルのタイルカーペットとがある。
【０００３】
カットパイルは、肌触りが柔らかく、毛足が長く、多彩な色遣いがされ、カーペット自体でも美観を有する物が多い。一方、ループパイルは、毛足が短く、毛足の先端がカットされていないため耐久性が高く、人が頻繁に通行する事務室等に適している。
【０００４】
ループパイルのタイルカーペットは、ループの向きを同一方向に揃えて並べれば床が無地模様をなし、ループの向きを交互として並べれば床が市松模様をなすように敷設される。しかし、ループタイルは、主として面積が大きな部屋に敷設されるため、いずれの模様としても床のデザインが単調になり易く、床の美観を向上させることが求められていた。
【０００５】
また、床下に電気通信配線が敷設される大きな事務室の床には、フリーアクセスフロアの床下地材とともにタイルカーペットが採用され、事務室のレイアウトの変更に応じて、間仕切り壁の位置が変更されるとともに、床からの電気通信配線の引出し位置も変更され、部分的にタイルカーペットが張り替えられている。
【０００６】
従来、床の材料がビニル床タイルやビニル床シートである場合には、机の位置を変更する前には、簡単に消せる鉛筆などの筆記具を使って床に変更後の机の位置を表示し、その表示された位置を手掛かりに机が移動されていた。しかし、床の材料がタイルカーペットの場合には変更後の机の位置を表示することは容易でなく、床に位置表示機能を付与させることが求められていた。
【０００７】
特許文献１には、歩行を誘導するためのガイド的な機能を有し、床の区画を明確にさせ、意匠的にも優れた床を提供することを課題とした技術が開示されている。この文献によれば、発光部材を収容させる収容凹部をなすガイド部材を、少なくとも一辺に沿って取り付けたシート体が、規格のタイルカーペットと同じ平面的な大きさの床材とされている。
【０００８】
ガイド部材は、シート体の底面側に延びた保持部を有し、その保持部がガイド部材をシート体から容易に外れないようにし、ガイド部材を持ってシート材を剥離できるようにし、タイルカーペットの交換作業を容易にするとしている。
【０００９】
しかし、この技術によればシート材を規格のタイルカーペットと同じ平面的な大きさにするため、規格のタイルカーペットからガイド部材の幅を切断することが必要であるため、製造に手間がかかると共に、ガイド部材の高さが発光部材を収容する高さとされるため、毛足の長いタイルカーペットにしか適用できないという課題があった。
【００１０】
特許文献２には、表示部材が破損せず、歩行等の邪魔にならず、優れた装飾性と表示性が得られるとする装飾表示カーペットの技術が開示されている。この技術によれば、表示部材が、ベースプレート部と、カーペットの基布の開口部を貫通する支持部と、支持部の上に装着される表示プレート部とからなり、表示プレート部がカーペットの基布の上面とパイルの先端との間に位置されている。
【００１１】
しかし、この技術によれば支持部がカーペットの基布を貫通させているため、表示プレートの取替えや、表示プレート近くのカーペットを交換する場合には、手間がかかると共に広い範囲のカーペットの交換が必要になるという課題があった。
【００１２】
特許文献３には、下地に凹凸や段差がある箇所等でも適用できる軟質塩化ビニル樹脂製の目地板の技術が開示されている。この技術によれば目地板の幅が２０〜３０ｍｍの広幅とされ、下地に凹凸があっても馴染みやすくされている。しかし、この広幅の目地板の底面のみが床下地に接着されているだけなので、目地板に歩行による繰返し摩擦力が作用した場合には、目地板が浮き上がり剥がれやすくなるという課題があった。
【先行技術文献】
【特許文献】
【００１３】
【特許文献１】特開２００９―１２１１６４号公報
【特許文献２】特開２０１２−１７５４７号公報
【特許文献３】実開平０４−９４０２７号公報
【発明の概要】
【発明が解決しようとする課題】
【００１４】
そこで、本発明は、タイルカーペットの厚さが薄い場合でも適用することができ、床を単調な外観とさせない「美観機能」と、レイアウト変更の際の「位置表示機能」とを付与させる細幅床材を提供することを課題とした。更に、新設工事又は取替工事のいずれにおいても床施工が容易で、剥がれにくく、管理が容易な細幅床材を提供することを課題とした。
【課題を解決するための手段】
【００１５】
本発明の第１の発明は、タイルカーペットが敷設される床面に貼着される細幅床材であって、細幅床材が、細幅床材本体と薄板体とからなる細長体とされ、前記細幅床材本体が、細幅に切断されたビニル床材からなり、前記薄板体が、前記細幅床材本体の底面に固着され、前記細長体の一方の長手方向側方縁部のみに、断続的に突出された複数の突出片を有し、前記細長体が、隣り合うタイルカーペットの間に配設され、前記細幅床材本体の夫々の側面が、夫々の隣のタイルカーペットの側面に接し、前記複数の突出片のみが、前記床面と一方の隣のタイルカーペットに挟持されることを特徴としている。
【００１６】
細幅床材本体は、ビニル床タイル又はビニル床シートから細幅で切り出されればよい。ビニル床材としては、厚さが２．５ｍｍから５.０ｍｍのビニル床タイルと、厚さが１．８ｍｍから２．５ｍｍのビニル床シートが、市場に流通しており、いずれも木質調、石質調などの多様なデザインが付与されている。多様なデザインのビニル床材から細幅床材本体の基材を選択することにより、床を単調に見せない「美観機能」と、レイアウト変更の際の「位置表示機能」とを付与させることができるという従来にない有利な効果を奏する。
【００１７】
ビニル床タイルは、単層又は複層のいずれであってもよいが、耐久性を優先させる場合には、摩耗に強い単層を選択すればよく、デザイン性を優先するのであれば、写真層を有する複層を選択すればよい。ビニル床シートはビニル床タイルに比較して薄く、巻いて保管されているため、広げた状態で湾曲しやすいが、複層に重ねて巻き癖を除去させ、高さを調整すればよい。
【００１８】
一辺５０ｃｍの正方形形状のタイルカーペットが市場に多く流通しているため、細幅床材本体の幅は約１ｃｍの幅が好適であるが限定されず、２ｃｍ以下であれば歩行に伴う摩擦力があっても剥がれにくい。細幅床材の長さは限定されず、一辺５０ｃｍの正方形形状のビニル床タイルから５０ｃｍの長さを切断させてもよく、タイルカーペットの一辺よりも長いい長尺のビニル床タイル又は長尺シートから５０ｃｍよりも長く切断させてもよい。
【００１９】
薄板体が有する突出片は、断続的に複数突出されている。薄板体を固着させる態様は、接着であっても、熱溶着であってもよく、タッカー針による機械的な固着であってもよく限定されない。薄板体は、約０．５ｍｍの樹脂製板体であると好適であるが、厚さは限定されない。
【００２０】
突出片の部分には上からタイルカーペットが重ねられ、細幅床材が浮き上がることが抑制され、細幅床材が剥がれにくい。薄板体に突出片が形成されていない部分では、タイルカーペットが直接に床面に貼着される。細幅床材の縁部の位置まで、タイルカーペットが床面に貼着されるため、タイルカーペットも剥がれにくい。
【００２１】
突出片は、細幅床材の一方の側面縁部から突出させているだけなので、先に一列に貼ったタイルカーペットの側面には、突出片のない細幅床材の側面を添え並べるようにすればよい。突出片が突出されている側には、隣の列のタイルカーペットを敷き並べて床面に貼り付け、タイルカーペットと床面とに突出片を挟持させるようにすればよく、新設工事の床施工が容易である。
【００２２】
また、細幅床材の側面に沿わせて床面まで垂直に、ヘラ工具を挿し込むことが容易であり、タイルカーペット又は細幅床材の縁部を浮かせることが容易である。タイルカーペットと共に細幅床材を貼り足すには、まず突出片を有していない細幅床材の側面を、剥がしていないタイルカーペットに添着させるようにすればよい。その後、敷き足すタイルカーペットを敷設させて、突出片をタイルカーペットと床面とに挟持させるようにすればよく、取替工事においても床施工が容易である。
【００２３】
本発明の第２の発明は、第１の発明の細幅床材において、前記突出片の突出寸法が、前記細幅床材本体の幅よりも小さいことを特徴としている。第２の発明によれば、天地を逆にして２枚の細幅床材を重ねて保管した状態で、突出片のみが突出された状態とならないため、突出片が損傷されにくいという効果を奏する。
【００２４】
本発明の第３の発明は、第１又は第２の発明の細幅床材において、前記隣のタイルカーペットに接する前記側方縁部を３等分した範囲の夫々に、前記突出片が備えられていることを特徴としている。第３の発明によれば、細幅床材を分断して半端材にしても、２分の１以上の長さの長い半端材は少なくとも２か所の突出片を有する。これにより、半端材であっても少なくとも２か所の突出片をタイルカーペットと床面との間に挟持させることができ、細幅床材が剥がれにくいという効果を奏する。
【００２５】
本発明の第４の発明は、第１から第３の発明の細幅床材において、前記突出片が、外方に鋭角をなす三角形形状とされていることを特徴としている。第４の発明によれば、床工事前において、細幅床材を床に仮置きしている状態でも、突出片を損傷させにくいという効果を奏する。
【００２６】
本発明の第５の発明は、第１から第４の発明の細幅床材において、前記ビニル床材が、ビニル床タイルからなり、厚さが３ｍｍ以上とされていることを特徴としている。第５の発明によれば、細幅床材が反りにくく、細幅床材の天部の位置が、厚さが５ｍｍの薄いタイルカーペットの基材の天部と繊維束の天部との間に位置されるため、細幅床材が歩行に障害になりにくく、剥がれにくいという効果を奏する。
【００２７】
本発明の第６の発明は、第１から第４の発明の細幅床材において、前記ビニル床材が、複数のビニル床材を重ねてなることを特徴としている。第６の発明によれば、タイルカーペットの厚さに限定されることなく、タイルカーペットに適用できる多様な外観の細幅床材を提供できるという効果を奏する。
【発明の効果】
【００２８】
・本発明の第１の発明によれば、床を単調に見せない「美観機能」と、レイアウト変更の際の「位置表示機能」とを付与させることができると共に、細幅床材もタイルカーペットも剥がれにくく、且つ新設工事又は取替工事のいずれにおいても床施工が容易となるという従来にない効果を奏する。
・本発明の第２の発明によれば、天地を逆にして２枚の細幅床材を重ねて保管した状態で、突出片のみが突出された状態とならないため、突出片が損傷されにくいという効果を奏する。
【００２９】
・本発明の第３の発明によれば、細幅床材を分断させた半端材であっても少なくとも２か所の突出片をタイルカーペットと床面との間に挟持させることができ、細幅床材が剥がれにくいという効果を奏する。
・本発明の第４の発明によれば、床工事前において、細幅床材を床に仮置きしている状態でも、突出片を損傷させにくいという効果を奏する。
・本発明の第５の発明によれば、細幅床材が反りにくく、細幅床材が歩行に障害になりにくく、剥がれにくいという効果を奏する。
・本発明の第６の発明によれば、タイルカーペットの厚さに限定されることなく、タイルカーペットに適用できる多様な外観の細幅床材を提供できるという効果を奏する。
【図面の簡単な説明】
【００３０】
【図１】細幅床材の斜視図（実施例１）。
【図２】細幅床材の施工方法の説明図（実施例１）。
【図３】細幅床材の平面図と断面図（実施例１）。
【図４】細幅床材の平面図と断面図（実施例２）。
【図５】管理方法の説明図。
【図６】施工方法の説明図。
【図７】細幅床材の説明図（実施例３）。
【図８】細幅床材の断面図（実施例４）。
【発明を実施するための形態】
【００３１】
単調な外観となりやすいタイルカーペットに多様なデザインの中から選択された細幅床材を配置させることにより床に「美観機能」を付与させると共に、レイアウト変更の際の「位置表示機能」とを付与させた。
【実施例１】
【００３２】
実施例１の細幅床材１は、塩化ビニル素材からなる床タイルを細幅に切断して、その底面に樹脂製の薄板を貼着させて細長体をなす細幅床材とさせた。実施例１の細幅床材１を、図１から図３を参照して説明する。図１は、先に敷設させたタイルカーペット１００の側面に添着させた状態において、細幅床材１の構成を示す斜視図である。図２は、取付方法を示す断面図である。図３は、定尺部材の全体を示す説明図である。
【００３３】
実施例１に示す細幅床材１は、ビニル床材のうち、表面からクリア層１１、印刷層１２、基材層１３からなる複層ビニル床タイルを細幅床材本体１０としている。印刷層１２は、石材、木材等の表面を写真に撮影して、その質感を表現した層であり、クリア層１１は印刷層の劣化を防止するための透明な被覆層である。基材層１３は、単層であってもよく、複層であってもよく、平坦性と耐久性を有するように構成されればよい。細幅床材本体１０は木質模様を表した印刷層１２を有するビニル床タイルとしている。
【００３４】
細幅床材１は、一辺５０ｃｍの正方形形状のビニル床タイルを端縁に沿って１ｃｍの幅で切断させ、タイルカーペット１００の各辺の基準寸法５０ｃｍと同じ長さとした定尺部材と、短辺１７ｃｍ長辺１００ｃｍの長方形形状のビニル床タイルを長辺に沿って１ｃｍの幅で切断させ、タイルカーペット１００の基準寸法よりも長い長尺部材の２種類としている。
【００３５】
薄板体２０は、ポリエチレン、ポリプロピレン等の樹脂材が好適であるが限定されず、厚さが約０．５ｍｍとされた状態で平板状をなせばよい。薄板体２０は、細幅床材本体１０の底面に両面接着テープで接着される細長部２１（斜線模様範囲）と、長手方向の一方の側方縁部のみに形成された突出片とからなっている。細長部２１は、細幅床材１を直交する２方向に配設させる際に、直交する細幅床材の突出片２２が重ならないように、長辺の両端部から突出片２２の突出高さに相当する部分２３は細長部２１を形成させていない（図３参照）。
【００３６】
突出片は、断続的に突出された複数の突出片２２とされている。細幅床材１においては、突出片２２は、一辺の長さが２ｃｍの正三角形形状とさせているが、突出片２２の形状、大きさは限定されない。タイルカーペット１００の全厚は約６ｍｍとしている、細幅床材１の高さは５ｍｍとさせているが、細幅床材１の高さは、タイルカーペットの基材１０１の厚みの寸法より大きく、タイルカーペットの全厚より低くさせるとよい。
【００３７】
図２を参照して、細幅床材１と共にタイルカーペット１００を列状に施工する方法を簡単に説明する。タイルカーペット１００は、床面の凹部に下地処理材１０２を塗布し、床面を水平に均した状態とし、その床面全体に弱接着性の接着剤を薄く敷き延ばし弱接着層１０３とし、予め設定させた割付基準線に沿って、基準列のタイルカーペットを弱接着層１０３の上に敷設させる。基準列のタイルカーペットの側縁に、細幅床材の突出片を有さない縁部１４を押し付けるようにして、突出片を含めた薄板体２０の底面全体を弱接着層１０３に接着させる。
【００３８】
次に隣の列をなすタイルカーペット１０４を、その側縁を細幅床材の突出片２２が形成された側の側縁に沿わせて、弱接着剤層１０３の上に敷設させる。そうすると後から敷設された隣の列をなすタイルカーペット１０４の側縁は、細幅床材の突出片が形成されている部分については突出片２２を押さえ、突出片２２が形成されていない部分については、床の弱接着層１０３に直接接着された状態とされる。後から敷設されたタイルカーペット１０４が、弱接着層１０３に側縁の際まで接着され、隣の列をなすタイルカーペット１０４の縁部が浮き上がらない状態で、細幅床材１０を押さえているため、隣の列をなすタイルカーペット１０４と共に細幅床材１０も浮き上がりにくく剥がれにくい。
【００３９】
ここで、突出片２２の数と配置位置について図３を参照して説明する。図３（Ａ）図は、平面図を示し、図３（Ｂ）図は断面図を示している。定尺部材の細幅床材１においては、直交する方向に細幅床材１が配設されたときに、薄板体２０が重なることがないように、長辺の両端部から突出片２２の突出高さに相当する部分２３を除いた位置に、両面接着テープにより薄板体２０を貼着させている。突出片２２は三角形形状とし、その底辺側の上面に両面接着テープ２４（交差模様範囲）を延出させ、重ね合わせて保管する際の仮保持層としている（図５（Ａ）図参照）。薄板体２０には、長辺方向を３等分（図３一転鎖線参照）した範囲に均等な間隔で、夫々３か所の突出片２２を形成させている。
【００４０】
タイルカーペット１００は、仕上がりの美観向上と剥がれ防止のため、敷設されるタイルカーペットの幅が２分の１以上となるように切断されて、２分の１以上の部材が使われている。仮に細幅床材１の定尺部材を図の上方から２分の１の長さ（破線位置）に切断したとしても、この定尺部材については、少なくとも５か所の突出片が隣のタイルカーペットと床面に挟持されるため浮き上がりにくくされる。
【００４１】
両面接着テープ２４が延出されている突出片２２の天面に順に細幅床材１を載せて（図５（Ａ）図参照）、複数の細幅床材１，１・・を並べた状態で管理すれば、複数の細幅床材が一体に管理され、散逸されにくく好適である。また並んだ細幅床材１，１・・の天面の模様が広く視認されるため、細幅床材自体が識別しやすく保管管理しやすい。
【実施例２】
【００４２】
ここで薄板体が分割され、複数の突出片２５とされた実施例２の細床部材２を、図４を参照して説明する。図４（Ａ）図は平面図を示し、図４（Ｂ）図は断面図を示している。細床部材２の薄板体は半径が細幅床材本体１０の幅とされた円形形状とされている。夫々の円形形状の薄板体は、細幅床材本体１０の長辺方向を３等分（図４一転鎖線参照）した範囲の夫々に、タッカー針２６により打設されて固定されている。
【００４３】
タイルカーペットの割付にあわせて、細幅床材２が長手方向に切断されても、切断されたいずれか一方の長手方向の２分の１以上の範囲（図４破線参照）には、少なくとも２か所の突出片２５，２５が形成されることになる。少なくとも２か所の突出片２５，２５が、後から敷設されるタイルカーペットと床面とに挟持されるため浮き上がりにくい。タッカー針２６に薄板体を打設させて細幅床材となすようにすれば、簡易に細幅床材となすことができる。
【００４４】
実施例２の細幅床材２を、突出片２５の天面に順に載せて（図５（Ａ）図参照）、複数の細幅床材２，２・・を並べた状態で管理してもよいが、細幅床材２の天地を逆にして重ね合わせて保管してもよい（図５（Ｂ）図参照）。突出片２５により細幅床材の印刷層１２の模様の一部は隠れるが、大部分は露出された状態とされるため天面の模様は視認可能である。また突出片２５の端部が、重ね合わせた細幅床材本体１０からはみ出すことがないため突出片２５が破損されることがない
【００４５】
図６を参照して、床面へのタイルカーペット１００と細幅床材１の敷設工程を説明する。図６（Ａ）図は直交する方向に細幅床材１を敷設する場合の部材の構成の一例を示し、図６（Ｂ）図は部屋の隅部にタイルカーペット１００と細幅床材１を敷設する施工方法を示し、図６（Ｃ）図は部屋の両側からタイルカーペット１００を順に敷設し、最後に中央部分のタイルカーペット１０５を敷設させる施工方法を示している。
【００４６】
直交する方向にタイルカーペット１００と細幅床材１を敷設させる場合には、一辺５０ｃｍの正方形形状のタイルカーペット１００と、５０ｃｍの長さの定尺部材１５と、予め７６．５ｃｍの長さに切断させた長尺部材１６とが使用される（図６（Ａ）図参照）。
【００４７】
タイルカーペット１００の間に、直交する方向に細幅床材を敷設させる場合には、予め建物の床平面図面にタイルカーペットと細長床材を配置させた図を描き、部屋の端部に２分の１よりも狭いタイルカーペットを敷設させないように、タイルカーペットと細幅床材の割付を決定させておく。
【００４８】
部屋の中央部から周囲に向けて、タイルカーペット１００と定尺部材１５の端部を一致させるようにし、まず、横方向に、タイルカーペット１００と定尺部材１５とを順に横一列に敷設させる（図６矢印Ａ参照）。なお、定尺部材１５は、突出片２２を突き出させるように、先に敷設させたタイルカーペット１００に添着させていく。
【００４９】
そして、先に敷設された列の隣（図６（Ｂ）図において上側）には、３組のタイルカーペットと細幅床材とがなす幅に、２本で接するように、予め７６．５ｃｍの長さに切断させた長尺部材１６，１６を敷設させる。そうすると３枚のタイルカーペット１００と縦方向３本の定尺部材１５と横２本の長尺部材１６の周囲が、長方形形状をなす単位ユニットとされる（図６（Ｂ）図斜線範囲）。床面にこの単位ユニットを繰り返し配設することにより、床面の外観が、タイルカーペット１００の間に、直交する方向に木目模様をなす細幅床材を敷設させた美観を呈する。
【００５０】
部屋の横方向端部には、先に敷設された細幅床材の突出片２２に載せるように、先にした割付の幅に切断された２分の１以上の幅のタイルカーペット１０６が敷設されると共に、タイルカーペットの幅に切断させた定尺部材１５をタイルカーペットの上縁に添着させる。
【００５１】
部屋の縦方向端部は、縦方向端部の列のタイルカーペットと定尺部材を予め割付で決定させた所定の長さに切断させておき、先に敷設された列の長尺部材の突出片２２に載せるようにして、所定の長さに切断させたタイルカーペット１０７と、所定の長さに切断させた細幅床材１７を敷設させていく。
【００５２】
部屋の隅部に敷設させるタイルカーペット１０８は、交差する２方向に敷設された細幅床材の、夫々の突出片２２，２２に載せるようにして敷設させる。この例では、タイルカーペットが縦横方向とも２分の１以上（図６（Ｂ）図破線参照）の幅とされ、細幅床材の突出片２２は横方向６つ、縦方向５つがタイルカーペットに押さえられるため、隅部に敷設させるタイルカーペット１０８も細幅床材も浮き上がりにくく、剥がれにくい。
【００５３】
ここで図６（Ｃ）図を参照して、部屋の中央部分に、タイルカーペットを最後に敷設させる場合を簡単に説明する。部屋の両側からタイルカーペット１００を順に敷設させた場合には、細幅床材の突出片２２が中央部分に向くように敷設される。そのため中央部分に敷設される所定の幅に切断されたタイルカーペット１０５は、両側から突出された突出片２２を押さえるように敷設される。
【実施例３】
【００５４】
実施例３として、図７を参照して、１ｃｍの幅の細幅床材１８と、２ｃｍの幅の細幅床材１９を使って、縦方向２枚のタイルカーペットを一組とし、その間に幅が異なる２種類の細幅床材を配設させた例を示している。タイルカーペットの敷設方法等は、上述した実施例と同様であるため、詳細は省略している。実施例３によれば、２種類の細幅床材を配設させた床面は、畳の縁を並べたような美観を呈し、８帖間の部屋の床面を縮小させたような美観を呈する床面となる。
【００５５】
また、夫々の細幅床材の上に、摩擦により消せるインキ等によりレイアウト変更後の机３００の位置の縦方向位置３０１と横方向位置３０２を表示しておけば、引っ越し作業等によっても位置表示が消えることがなく、細幅床材に位置表示機能を付与させることができる。
【実施例４】
【００５６】
実施例４として、毛足が長いタイルカーペット１１０に適用させることができる細幅床材４を、図８を参照して簡単に説明する。細幅床材４は、細幅床材本体の基部をなす基部部材４１に、美観上優れたビニル床タイル４２を接着させて細幅床材本体とし、細長体の高さを毛足が長いタイルカーペットよりも僅かに低い高さとしている。
【００５７】
基部部材４１は、ビニル床シート等の樹脂材が好適であるが限定されない。複数の部材を重ねて細長体とさせるため、タイルカーペットの厚さにかかわらず適用することができる。例えば毛足が長いカーペットが敷かれる部屋の周囲に細幅床材４を配設すれば、掃除がしにくく汚れが付着しやすい部屋の周囲を綺麗に美しく維持することができる。
【００５８】
（その他）
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
・細幅床材はタイルカーペットの目地材として使用されると好適であるが、用途は限定されず、絨毯の目地材としても使用できることは勿論のことである。
【符号の説明】
【００５９】
１，２，４…細幅床材、
１０…細幅床材本体、１１…クリア層、１２…印刷層、１３…基材層、１４…縁部、
１５…定尺部材、１６…長尺部材、１７…所定の長さに切断させた細幅床材、
１８…１ｃｍの幅の細幅床材、１９…２ｃｍの幅の細幅床材、
２０…薄板体、２１…細長部、２２…突出片、２３…突出高さに相当する部分、
２４…両面接着テープ、２５…突出片、２６…タッカー針、
４１…基部部材、４２…ビニル床タイル
１００…タイルカーペット、１０１…基材、１０２…下地処理材、１０３…弱接着層、
１０４…隣の列をなすタイルカーペット、１０５…中央部分のタイルカーペット、
１０６…２分の１以上の幅のタイルカーペット、
１０７…所定の長さに切断させたタイルカーペット、
１０８…隅部に敷設させるタイルカーペット、
１１０…毛足が長いタイルカーペット、
３００…机、３０１…縦方向位置、３０２…横方向位置
【要約】
【課題】タイルカーペットの厚さが薄い場合でも適用することができ、床を単調な外観とさせない「美観機能」と、レイアウト変更の際の「位置表示機能」とを付与させる細幅床材を提供する。
【解決手段】
ビニル床材からなる本体と、一方の長手方向側方縁部のみに突出片を有する薄板体とからなり、細長体とされた細幅床材において、薄板体を、細長体の底面に固着させ、突出片を、断続的に複数突出させ、細長体を、隣り合うタイルカーペットの間に配設させ、細長体の夫々の側面を、夫々の隣のタイルカーペットの側面に接しさせ、複数の突出片を、床面と一方の隣のタイルカーペットに挟持させるようにした。
【選択図】図１【図１】
0006792317.tif 000002
【図２】
0006792317.tif 000003
【図３】
0006792317.tif 000004
【図４】
0006792317.tif 000005
【図５】
0006792317.tif 000006
【図６】
0006792317.tif 000007
【図７】
0006792317.tif 000008
【図８】
0006792317.tif 000009